(57)【要約】【課題】テレビジョン受像機において、自機では対応していないテレビジョン放送が行われていることをユーザに通知する。【解決手段】テレビジョン受像機は、ＤＶＢ−Ｔ方式のテレビジョン放送に対応している。メインＩＣは、チューナの受信周波数を設定して、テレビジョン放送の物理チャンネルを選局し（＃１）、そのときに、チューナにより受信される高周波信号の電界強度が所定強度以上であり（＃２でＹＥＳ）、かつ、ＯＦＤＭから出力される復調信号が正常でない場合に（＃３でＮＯ）、選局中の物理チャンネルが自機では対応していないテレビジョン放送のチャンネルであると判定する（＃６）。そして、メインＩＣは、選局中の物理チャンネルが自機では対応していないテレビジョン放送のチャンネルである場合には、自機では対応していないＤＶＢ−Ｔ２方式のテレビジョン放送のチャンネルが存在する旨をユーザに通知する（＃７）。【選択図】図５
2010251997.tif 000002
【特許請求の範囲】
【請求項１】
設定された受信周波数と同じ周波数の高周波信号を受信し、受信した高周波信号を増幅すると共に増幅した高周波信号の周波数を中間周波数に変換して、中間周波信号を出力するチューナと、
前記チューナから出力される中間周波信号を復調処理し、その復調処理により得た復調信号を出力する復調手段とを備え、
前記復調手段から出力される復調信号に基いて、テレビジョン放送局から放送されるテレビジョン信号に基く映像を表示するテレビジョン受像機において、
自機では対応していないテレビジョン放送のチャンネルが存在することを検出する不対応検出手段と、
前記不対応検出手段により自機では対応していないテレビジョン放送のチャンネルが存在することを検出すると、自機では対応していないチャンネルが存在する旨をユーザに通知する不対応通知手段と、
を備えることを特徴とするテレビジョン受像機。
【請求項２】
前記不対応検出手段は、
前記チューナにより受信される高周波信号の電界強度、及び前記復調手段から出力される復調信号の正常性に基いて、自機では対応していないテレビジョン放送のチャンネルが存在することを検出する、
ことを特徴とする請求項１に記載のテレビジョン受像機。
【請求項３】
前記不対応検出手段は、
前記チューナの受信周波数をテレビジョン放送のチャンネルに対応する周波数に設定することにより、テレビジョン放送のチャンネルを選局し、
そのときに、前記チューナにより受信される高周波信号の電界強度が所定強度以上であり、かつ、前記復調手段から出力される復調信号が正常でない場合に、
選局中のチャンネルが自機では対応していないテレビジョン放送のチャンネルであると判定することにより、
自機では対応していないテレビジョン放送のチャンネルが存在することを検出する、
ことを特徴とする請求項２に記載のテレビジョン受像機。
【請求項４】
前記不対応検出手段は、
前記チューナから出力される中間周波信号の信号レベルが所定のレベルとなるように前記チューナにおける前記受信した高周波信号を増幅する増幅ゲインを自動的に制御するためのＡＧＣ電圧に基いて、前記チューナにより受信される高周波信号の電界強度を検出し、
前記復調手段から出力される復調信号を解析し、その解析結果に基いて、前記復調手段から出力される復調信号の正常性を検出する、
ことを特徴とする請求項３に記載のテレビジョン受像機。
【請求項５】
自機では対応していないテレビジョン放送のチャンネルは、ＤＶＢ−Ｔ２方式のテレビジョン放送のチャンネルであり、
前記不対応通知手段は、
自機では対応していないチャンネルが存在する旨に加え、自機では対応していないチャンネルを視聴するにはＤＶＢ−Ｔ２への対応が必要である旨を通知する、
ことを特徴とする請求項４に記載のテレビジョン受像機。
【発明の詳細な説明】
【技術分野】
【０００１】
本発明は、テレビジョン放送局から放送されるテレビジョン信号を受信して、テレビジョン信号に基く映像を表示するテレビジョン受像機に関するものである。
【背景技術】
【０００２】
従来から、欧州地方では、地上波デジタルテレビジョン放送の一種であるＤＶＢ−Ｔ（Digital Video Broadcast-Terrestrial）方式のテレビジョン放送が行われている。欧州地方におけるＤＶＢ−Ｔ方式のテレビジョン放送では、１つの物理チャンネルに複数の論理チャンネル（ＬＣＮ（Logical Channel Number））を重畳したテレビジョン信号によってＳＤ（Standard）コンテンツやＨＤ（High Definition）コンテンツが放送されている。ＤＶＢ−Ｔ方式のテレビジョン信号は、Multiplexと呼ばれる。
【０００３】
しかし、昨今のＨＤコンテンツの増加に伴い、ＤＶＢ−Ｔ方式のテレビジョン放送では、ＨＤコンテンツの伝送に適応できなくなりつつある。そこで、伝送効率をＤＶＢ−Ｔ方式の約２倍に高めたＤＶＢ−Ｔ２方式のテレビジョン放送が研究、テスト放送されている。
【０００４】
一方、チャンネル配置が異なる国が隣接する環境下であっても、同一チャンネルのアナログ妨害除去フィルタを好適に設定するようにしたテレビジョン受像機が知られている（例えば特許文献１参照）。また、ＯＦＤＭを有効シンボル期間の長さに応じた適切なレベルでＡＤＣ（アナログデジタルコンバータ）に入力して、信号誤り率の劣化の少ないデジタル復調処理を可能にしたテレビジョン受像機が知られている（例えば特許文献２参照）。また、国境付近でも、他国の放送を選局せず、自国の放送のみを選局して視聴できるようにしたテレビジョン受像機が知られている（例えば特許文献３参照）。
【先行技術文献】
【特許文献】
【０００５】
【特許文献１】特開２００８−２７８０８９号公報
【特許文献２】特開２００２−７７１０１号公報
【特許文献３】特開２００８−２２５４２号公報
【発明の概要】
【発明が解決しようとする課題】
【０００６】
ところで、従来のＤＶＢ−Ｔ方式のテレビジョン放送に対応した（ＤＶＢ−Ｔ２方式のテレビジョン放送に対応していない）機種のテレビジョン受像機では、ＤＶＢ−Ｔ２方式のテレビジョン信号（ＤＶＢ−Ｔ２方式のMultiplex）を受信しても、受信したテレビジョン信号を正常に復調できず（受信したテレビジョン信号を復調しても、正常な復調信号を得ることができず）、ＤＶＢ−Ｔ２方式のテレビジョン放送を視聴することができない。
【０００７】
このため、従来のＤＶＢ−Ｔ方式のテレビジョン放送に対応したテレビジョン受像機では、ＤＶＢ−Ｔ２方式のテレビジョン放送が普及して主流になった場合、ＤＶＢ−Ｔ２方式のテレビジョン放送（自機では対応していないテレビジョン放送）が行われていることをユーザに知らせることができず、ユーザがＤＶＢ−Ｔ２方式のテレビジョン放送を視聴できないままでいる虞がある。なお、上述した特許文献１乃至特許文献３に開示の内容を適用したとしても、上記の問題を解決することはできない。
【０００８】
本発明は、上記課題を解決するためになされたものであり、自機では対応していないテレビジョン放送が行われていることをユーザに通知することができるテレビジョン受像機を提供することを目的とする。
【課題を解決するための手段】
【０００９】
上記目的を達成するために請求項１の発明は、設定された受信周波数と同じ周波数の高周波信号を受信し、受信した高周波信号を増幅すると共に増幅した高周波信号の周波数を中間周波数に変換して、中間周波信号を出力するチューナと、チューナから出力される中間周波信号を復調処理し、その復調処理により得た復調信号を出力する復調手段とを備え、復調手段から出力される復調信号に基いて、テレビジョン放送局から放送されるテレビジョン信号に基く映像を表示するテレビジョン受像機において、自機では対応していないテレビジョン放送のチャンネルが存在することを検出する不対応検出手段と、不対応検出手段により自機では対応していないテレビジョン放送のチャンネルが存在することを検出すると、自機では対応していないチャンネルが存在する旨をユーザに通知する不対応通知手段と、を備えるものである。
【００１０】
請求項２の発明は、請求項１に記載のテレビジョン受像機において、不対応検出手段は、チューナにより受信される高周波信号の電界強度、及び復調手段から出力される復調信号の正常性に基いて、自機では対応していないテレビジョン放送のチャンネルが存在することを検出するものである。
【００１１】
請求項３の発明は、請求項２に記載のテレビジョン受像機において、不対応検出手段は、チューナの受信周波数をテレビジョン放送のチャンネルに対応する周波数に設定することにより、テレビジョン放送のチャンネルを選局し、そのときに、チューナにより受信される高周波信号の電界強度が所定強度以上であり、かつ、復調手段から出力される復調信号が正常でない場合に、選局中のチャンネルが自機では対応していないテレビジョン放送のチャンネルであると判定することにより、自機では対応していないテレビジョン放送のチャンネルが存在することを検出するものである。
【００１２】
請求項４の発明は、請求項３に記載のテレビジョン受像機において、不対応検出手段は、チューナから出力される中間周波信号の信号レベルが所定のレベルとなるようにチューナにおける受信した高周波信号を増幅する増幅ゲインを自動的に制御するためのＡＧＣ電圧に基いて、チューナにより受信される高周波信号の電界強度を検出し、復調手段から出力される復調信号を解析し、その解析結果に基いて、復調手段から出力される復調信号の正常性を検出するものである。
【００１３】
請求項５の発明は、請求項４に記載のテレビジョン受像機において、自機では対応していないテレビジョン放送のチャンネルは、ＤＶＢ−Ｔ２方式のテレビジョン放送のチャンネルであり、不対応通知手段は、自機では対応していないチャンネルが存在する旨に加え、自機では対応していないチャンネルを視聴するにはＤＶＢ−Ｔ２への対応が必要である旨を通知するものである。
【発明の効果】
【００１４】
請求項１乃至請求項４の発明によれば、不対応検出手段によって自機では対応していないテレビジョン放送のチャンネルが存在することが検出されると、不対応通知手段によって自機では対応していないチャンネルが存在する旨がユーザに通知される。すなわち、自機では対応していないテレビジョン放送が行われていることがユーザに通知される。これにより、ユーザは、その通知によって、自機では対応していないテレビジョン放送が行われていることを知ることができ、自機では対応していないテレビジョン放送に対応すること（例えば、外付けチューナの購入等をすること）が可能となる。従って、自機では対応していないテレビジョン放送が行われている場合に、ユーザが自機では対応していないテレビジョン放送を視聴できないままでいるという事態を低減することができる。
【００１５】
請求項５の発明によれば、ＤＶＢ−Ｔ方式のテレビジョン放送からＤＶＢ−Ｔ２方式のテレビジョン放送への移行期などに、ユーザがＤＶＢ−Ｔ２方式のテレビジョン放送を視聴できないままでいるという事態を低減することができる。
【図面の簡単な説明】
【００１６】
【図１】本発明の一実施形態に係るテレビジョン受像機の概略構成を示す電気的ブロック構成図。
【図２】テレビジョン放送のフィールド環境例を示す図。
【図３】テレビジョン放送のチャンネル構成例を示す図。
【図４】同テレビジョン受像機のチャンネルリスト例を示す図。
【図５】同テレビジョン受像機のチャンネル検出処理を示すフローチャート。
【発明を実施するための形態】
【００１７】
以下、本発明を具体化した実施形態によるテレビジョン受像機について図面を参照して説明する。図１は、本実施形態によるテレビジョン受像機の構成を示す。テレビジョン受像機１は、テレビジョン放送局から電波の形態で放送されるテレビジョン信号を受信して、テレビジョン信号に基く映像を表示すると共に、テレビジョン信号に基く音声を出力する機器である。
【００１８】
このテレビジョン受像機１は、ＤＶＢ−Ｔ（Digital Video Broadcast-Terrestrial）方式のテレビジョン放送に対応しており、ＤＶＢ−Ｔ方式のテレビジョン信号に基く映像を表示すると共に、ＤＶＢ−Ｔ方式のテレビジョン信号に基く音声を出力するようになっている。また、このテレビジョン受像機１は、自機では対応していないテレビジョン放送が行われていることをユーザに通知する機能を備えている。
【００１９】
テレビジョン受像機１は、チューナ２と、ＯＦＤＭ復調部３と、ディスプレイ４と、スピーカ５と、テレビジョン受像機１の動作を制御するＣＰＵ、メモリ等を含むメインＩＣ６等を備える。メインＩＣ６のメモリは、テレビジョン受像機１の動作を制御するためのプログラムや各種データを記憶している。
【００２０】
チューナ２は、メインＩＣ６による制御のもと、受信周波数が設定されることにより、その設定された受信周波数と同じ周波数の電波の形態の高周波信号（ＲＦ信号）をアンテナ２ａを介して受信する。そして、チューナ２は、受信した高周波信号を増幅すると共に増幅した高周波信号の周波数を中間周波数に変換して、中間周波信号（ＩＦ信号）を出力する。
【００２１】
チューナ２は、ＡＧＣ回路を内蔵しており、ＡＧＣ回路によって、中間周波信号の信号レベルが所定のレベルとなるように、高周波信号の増幅ゲインが自動的に制御されるようになっている。すなわち、ＡＧＣ回路は、中間周波信号の信号レベルが所定のレベルよりも小さいときには、ＡＧＣ電圧を大きくしていき、中間周波信号の信号レベルが所定のレベルよりも大きいときには、ＡＧＣ電圧を小さくしていく。チューナ２における高周波信号の増幅ゲインは、ＡＧＣ電圧が大きくなるにつれて、大きくなり、ＡＧＣ電圧が小さくなるにつれて、小さくなる。
【００２２】
テレビジョン信号は、所定周波数の高周波信号である。従って、チューナ２の受信周波数がテレビジョン信号の周波数に設定され、そのテレビジョン信号の信号強度（電界強度）が十分である場合には、そのテレビジョン信号がチューナ２によって受信され、チューナ２から出力される中間周波信号は、テレビジョン信号の周波数を中間周波数に変換した信号となる。
【００２３】
また、ＤＶＢ−Ｔ方式のテレビジョン信号は、ＴＳ（Transport Stream：テレビジョン信号に基く映像の映像信号、テレビジョン信号に基く音声の音声信号、テレビジョン放送に関するＳＩ（Service Information）等をデジタル圧縮符号化して多重化した信号）をデジタル変調の一種であるＯＦＤＭ（Orthogonal Frequency Division Multiplexing）方式で多重化して変調した信号である。この信号は、Multiplexと呼ばれる。従って、ＤＶＢ−Ｔ方式のテレビジョン信号がチューナ２によって受信された場合には、チューナ２から出力される中間周波信号は、ＤＶＢ−Ｔ方式のテレビジョン信号（ＴＳをＯＦＤＭ方式で多重化して変調したMultiplex）の周波数を中間周波数に変換した信号となる。
【００２４】
ＯＦＤＭ復調部３は、メインＩＣ６による制御のもと、チューナ２から出力される中間周波信号を復調処理し、その復調処理により得た復調信号を出力する。ＯＦＤＭ復調部３は、ＤＶＢ−Ｔ方式のテレビジョン放送に対応したものであり、ＤＶＢ−Ｔ方式のテレビジョン信号におけるＴＳを得るために、チューナ２から出力される中間周波信号を、ＯＦＤＭ方式による変調を復調するように復調処理する。すなわち、チューナ２から出力される中間周波信号がＤＶＢ−Ｔ方式のテレビジョン信号（ＤＶＢ−Ｔ方式のMultiplex）の周波数を中間周波数に変換した信号である場合には、ＯＦＤＭ復調部３から出力される復調信号は、正常な信号、すなわち、ＤＶＢ−Ｔ方式のテレビジョン信号におけるＴＳとなる。ＯＦＤＭ復調部３によって、復調手段が構成されている。
【００２５】
メインＩＣ６は、デコーダの機能を有しており、ＯＦＤＭ復調部３から出力される復調信号をデコード処理して、テレビジョン信号に基く映像の映像信号、テレビジョン信号に基く音声の音声信号、テレビジョン放送に関するＳＩ等を生成する。そして、メインＩＣ６は、テレビジョン信号に基く映像の映像信号をディスプレイ４に出力すると共に、テレビジョン信号に基く音声の音声信号をスピーカ５に出力する。これにより、テレビジョン信号に基く映像がディスプレイ４に表示されると共に、テレビジョン信号に基く音声がスピーカ５から出力される。すなわち、ＯＦＤＭ復調部３から出力される復調信号に基いて、テレビジョン信号に基く映像がディスプレイ４に表示されると共に、テレビジョン信号に基く音声がスピーカ５から出力される。
【００２６】
ＯＦＤＭ復調部３から出力される復調信号が正常な信号（ＤＶＢ−Ｔ方式のテレビジョン信号におけるＴＳ）である場合には、メインＩＣ６において、正常にデコード処理が行われ、テレビジョン信号に基く映像の映像信号、テレビジョン信号に基く音声の音声信号、テレビジョン放送に関するＳＩ等は、正常なものとなる。従って、ＯＦＤＭ復調部３から出力される復調信号が正常な信号である場合には、ＤＶＢ−Ｔ方式のテレビジョン信号に基く映像がディスプレイ４に表示されると共に、ＤＶＢ−Ｔ方式のテレビジョン信号に基く音声がスピーカ５から出力される。
【００２７】
メインＩＣ６は、Ｉ２Ｃバスを介してチューナ２及びＯＦＤＭ３を制御する。そして、メインＩＣ６は、ユーザによる不図示の操作手段（例えばリモートコントローラ）の操作を受けて、テレビジョン受像機１の各種処理の動作を制御する。
【００２８】
メインＩＣ６は、Ｉ２Ｃバスを介して、チューナ２の受信周波数を設定することにより、受信しようとするテレビジョン放送の物理チャンネルを選局する。また、メインＩＣ６は、Ｉ２Ｃバスを介して、チューナ２のＡＧＣ電圧を監視することにより、チューナ２により受信される高周波信号の電界強度を検出する。また、メインＩＣ６は、Ｉ２Ｃバスを介して、ＯＦＤＭ３による復調処理を制御する。また、メインＩＣ６は、ＯＦＤＭ３から出力される復調信号の正常性を検出する。
【００２９】
また、メインＩＣ６は、ＯＦＤＭ３から出力される復調信号をデコード処理し、そのデコード処理により得た映像信号及び音声信号をディスプレイ４及びスピーカ５に出力することにより、テレビジョン信号に基く映像をディスプレイ４に表示すると共にテレビジョン信号に基く音声をスピーカ５から出力する。また、メインＩＣ６は、ディスプレイ４にＯＳＤ表示する各種映像の映像信号を生成し、その映像信号をディスプレイ４に出力することにより、各種映像をディスプレイ４にＯＳＤ表示する。
【００３０】
また、メインＩＣ６は、物理チャンネルを選局して、その選局中の物理チャンネルが視聴可能なチャンネル、自機では対応しておらず視聴不可能なチャンネル、受信できない（テレビジョン信号が到来していない）チャンネルのいずれであるかを検出するチャンネル検出処理を行う。チャンネル検出処理では、メインＩＣ６は、チューナ２により受信される高周波信号の電界強度、及びＯＦＤＭ３から出力される復調信号の正常性に基いて、選局中の物理チャンネルが視聴可能なチャンネル、自機では対応しておらず視聴不可能なチャンネル、受信できないチャンネルのいずれであるかを検出する。メインＩＣ６等によって、不対応検出手段が構成されている。
【００３１】
このチャンネル検出処理は、オートスキャン処理においてオートスキャン処理の一部として行われ、また、ユーザによりチャンネルリストに記憶されていない論理チャンネルを選択する操作がなされたことを受けて行われる。
【００３２】
また、メインＩＣ６は、視聴可能なチャンネルを自動的に検出するオートスキャン処理を行う。オートスキャン処理では、メインＩＣ６は、全ての物理チャンネルについて、順次、チャンネル検出処理を行うことにより、視聴可能なチャンネルを検出する。
【００３３】
また、メインＩＣ６は、チャンネルリストを作成する。ＤＶＢ−Ｔ方式のテレビジョン放送では、１つの物理チャンネルに複数の論理チャンネル（ＬＣＮ（Logical Channel Number））を有しており、ＳＩには、論理チャンネルのチャンネル番号とチャンネル名を示す情報が含まれている。メインＩＣ６は、ＯＦＤＭ３から出力される復調信号をデコード処理し、そのデコード処理により得たＳＩに基いて、チャンネルリストとして、論理チャンネルのチャンネル番号とチャンネル名を示すリストを作成する。このとき、メインＩＣ６は、チャンネル検出処理において視聴可能なチャンネルであると検出した物理チャンネルに対応した論理チャンネルについて、チャンネルリストを作成する。チャンネルリストは、メインＩＣ６内のメモリに記憶される。
【００３４】
また、メインＩＣ６は、チャンネル検出処理において自機では対応していないテレビジョン放送のチャンネルが存在することを検出すると、自機では対応していないチャンネルが存在する旨をユーザに通知する。自機では対応していないチャンネルが存在する旨の通知は、自機では対応していないチャンネルが存在する旨のメッセージをディスプレイ４にＯＳＤ表示することによって行われる。メインＩＣ６等によって、不対応通知手段が構成されている。
【００３５】
図２は、テレビジョン放送のフィールド環境例を示し、図３は、テレビジョン放送のチャンネル構成例を示し、図４は、テレビジョン受像機１のメインＩＣ６が作成するチャンネルリスト例を示す。
【００３６】
テレビジョン放送のチャンネルのフィールド環境として、例えば、図２に示すように、「Ａ」、「Ｂ」、「Ｃ」、「Ｄ」の４つの物理チャンネル（周波数帯域）でテレビジョン信号が放送されており、それらのうち、物理チャンネル「Ａ」「Ｃ」「Ｄ」では、ＤＶＢ−Ｔ方式のテレビジョン信号が放送されており、物理チャンネル「Ｂ」では、ＤＶＢ−Ｔ２方式のテレビジョン放送のテレビジョン信号が放送されている場合を考える。
【００３７】
また、テレビジョン放送のチャンネル構成として、例えば、図３に示すように、物理チャンネル「Ａ」は、論理チャンネル番号「１」（チャンネル名「ａａ」）、論理チャンネル番号「２」（チャンネル名「ｂｂ」）、論理チャンネル番号「３」（チャンネル名「ｃｃ」）の３つの論理チャンネルを有しており、物理チャンネル「Ｂ」は、論理チャンネル番号「４」（チャンネル名「ｄｄ」）、論理チャンネル番号「５」（チャンネル名「ｅｅ」）、論理チャンネル番号「６」（チャンネル名「ｆｆ」）の３つの論理チャンネルを有しており、物理チャンネル「Ｃ」は、論理チャンネル番号「７」（チャンネル名「ｇｇ」）、論理チャンネル番号「８」（チャンネル名「ｈｈ」）、論理チャンネル番号「９」（チャンネル名「ｉｉ」）の３つの論理チャンネルを有しており、物理チャンネル「Ｄ」は、論理チャンネル番号「１０」（チャンネル名「ｊｊ」）、論理チャンネル番号「１１」（チャンネル名「ｋｋ」）、論理チャンネル番号「１２」（チャンネル名「ｌｌ」）の３つの論理チャンネルを有している場合を考える。
【００３８】
このような場合、物理チャンネル「Ａ」「Ｃ」「Ｄ」のＤＶＢ−Ｔ方式のテレビジョン信号は、チューナ２によって受信できて、ＯＦＤＭ３によって正常に復調できる（正常な復調信号を得ることができる）が、物理チャンネル「Ｂ」のＤＶＢ−Ｔ２方式のテレビジョン信号は、チューナ２によって受信できても、ＯＦＤＭ３によって正常に復調できない（正常な復調信号を得ることができない）。
【００３９】
従って、このような場合、テレビジョン受像機１のメインＩＣ６が作成するチャンネルリストは、図４に示すようになる。すなわち、チャンネルリストには、物理チャンネル「Ａ」「Ｃ」「Ｄ」に対応した論理チャンネル番号とそのチャンネル名が記憶され、物理チャンネル「Ｂ」に対応した論理チャンネル番号とそのチャンネル名は記憶されない。
【００４０】
図５は、上記テレビジョン受像機１のチャンネル検出処理のフローチャートを示す。チャンネル検出処理は、ユーザによりチャンネルリストに記憶されていない論理チャンネルを選択する操作がなされたことを受けて、又は、オートスキャン処理中にオートスキャン処理の一部として行われる。
【００４１】
ユーザによりチャンネルリストに記憶されていない論理チャンネルを選択する操作がなされた場合、チャンネル検出処理は、以下のようにして行われる。まず、メインＩＣ６は、テレビジョン放送の物理チャンネルを選局する（＃１）。すなわち、メインＩＣ６は、チューナ２の受信周波数を、ユーザの操作により選択された論理チャンネルを有する物理チャンネルに対応する周波数に設定することにより、テレビジョン放送の物理チャンネルを選局する。
【００４２】
続いて、メインＩＣ６は、チューナ２により受信される高周波信号の電界強度を検出して、チューナ２により受信される高周波信号の電界強度が所定強度以上であるか否かを判定する（＃２）。このとき、メインＩＣ６は、チューナ２のＡＧＣ電圧（チューナ２から出力される中間周波信号の信号レベルが所定のレベルとなるように、チューナ２における受信した高周波信号の増幅ゲインを自動的に制御するための電圧）に基いて、チューナ２により受信される高周波信号の電界強度を検出する。すなわち、メインＩＣ６は、チューナ２のＡＧＣ電圧が所定電圧を超えない場合には、チューナ２により受信される高周波信号の電界強度が所定強度以上であると判定し、チューナ２のＡＧＣ電圧が所定電圧を超える場合には、チューナ２により受信される高周波信号の電界強度が所定強度以上でないと判定する。
【００４３】
チューナ２により受信される高周波信号の電界強度が所定強度以上である場合には（＃２でＹＥＳ）、メインＩＣ６は、ＯＦＤＭ３から出力される復調信号が正常であるか否かを判定する（＃３）。このとき、メインＩＣ６は、ＯＦＤＭ３から出力される復調信号を解析し、その解析結果に基いて、ＯＦＤＭ３から出力される復調信号の正常性を検出する。すなわち、メインＩＣ６は、ＯＦＤＭ３から出力される復調信号をデコード処理して、そのデコード処理により得たテレビジョン放送に関するＳＩに含まれるＮＩＴ（Network Information Table）にアクセスし、ＮＩＴが正常である場合に、ＯＦＤＭ３から出力される復調信号が正常であると判定し、ＮＩＴが正常でない場合に、ＯＦＤＭ３から出力される復調信号が正常でないと判定する。ＮＩＴが正常であるか否かは、ＮＩＴのフォーマットやデータ内容等に基いて判断される。
【００４４】
そして、ＯＦＤＭ３から出力される復調信号が正常である場合には（＃３でＹＥＳ）、メインＩＣ６は、選局中の物理チャンネルが自機で対応している（視聴可能な）テレビジョン放送のチャンネルであると判定する（＃４）。
【００４５】
従って、この場合、メインＩＣ６は、ＯＦＤＭ復調部３から出力される復調信号をデコード処理して得られるＳＩに基いて、選局中の物理チャンネルにおける論理チャンネル番号とそのチャンネル名をチャンネルリストに記憶する（＃５）。
【００４６】
一方、ＯＦＤＭ３から出力される復調信号が正常でない場合には（＃３でＮＯ）、メインＩＣ６は、選局中の物理チャンネルが自機では対応していないテレビジョン放送のチャンネルであると判定する（＃６）。すなわち、メインＩＣ６は、＃１〜＃３、＃６の処理により、チューナ２の受信周波数をテレビジョン放送の物理チャンネルに対応する周波数に設定することにより、テレビジョン放送の物理チャンネルを選局し、そのときに、チューナ２により受信される高周波信号の電界強度が所定強度以上であり、かつ、ＯＦＤＭ３から出力される復調信号が正常でない場合に、選局中の物理チャンネルが自機では対応していないテレビジョン放送のチャンネルであると判定することにより、自機では対応していないテレビジョン放送のチャンネルが存在することを検出する。
【００４７】
そして、この場合、メインＩＣ６は、自機では対応していないチャンネルが存在する旨をユーザに通知する（＃７）。すなわち、メインＩＣ６は、自機では対応していないテレビジョン放送が行われていることをユーザに通知する。このとき、メインＩＣ６は、自機では対応していないチャンネルが存在する旨をディスプレイ４にＯＳＤ表示することにより、自機では対応していないチャンネルが存在する旨をユーザに通知する。また、メインＩＣ６は、自機では対応していないチャンネルが存在する旨に加え、自機では対応していないチャンネルを視聴するにはＤＶＢ−Ｔ２への対応が必要である旨をユーザに通知（ディスプレイ４にＯＳＤ表示）する。すなわち、メインＩＣ６は、例えば「この製品仕様では視聴出来ないＣｈが存在します。視聴するにはＤＶＢ−Ｔ２への対応が必要となります」といったメッセージをディスプレイ４にＯＳＤ表示する。
【００４８】
また、チューナ２により受信される高周波信号の電界強度が所定強度以上でない場合には（＃２でＮＯ）、メインＩＣ６は、選局中の物理チャンネルがテレビジョン信号を受信できない（テレビジョン信号が到来していない）チャンネルであると判定する（＃８）。
【００４９】
ユーザによりチャンネルリストに記憶されていない論理チャンネルを選択する操作がなされた場合には、このようにしてチャンネル検出処理が行われる。なお、上記＃４において自機で対応しているチャンネルであると判定した場合には、メインＩＣ６は、（上記＃５において論理チャンネル番号とチャンネル名をチャンネルリストに記憶した後）ＯＦＤＭ復調部３から出力される復調信号をデコード処理して、そのデコード処理により得られる映像信号及び音声信号をディスプレイ４及びスピーカ５に出力することにより、ユーザの操作により選択された論理チャンネルのテレビジョン信号に基く映像をディスプレイ４に表示すると共にテレビジョン信号に基く音声をスピーカ５から出力する。
【００５０】
また、チャンネル検出処理は、上述のように、オートスキャン処理中にオートスキャン処理の一部としても行われ、オートスキャン処理では、全ての物理チャンネルについて、順次、チャンネル検出処理が行われる。
【００５１】
チャンネル検出処理がオートスキャン処理の一部として行われる場合には、上記＃１において物理チャンネルが順番に選局され、また、上記＃７における自機では対応していないチャンネルが存在する旨の通知は、オートスキャン処理の終了後（全ての物理チャンネルについてチャンネル検出処理を行った後）に行われる。
【００５２】
このような構成のテレビジョン受像機１によれば、ユーザによりチャンネルリストに記憶されていない論理チャンネルを選択する操作がなされると、又は、ユーザによりオートスキャン処理を行う操作がなされると、自機では対応していないテレビジョン放送のチャンネルが存在するか否かが検出される。そして、自機では対応していないテレビジョン放送のチャンネルが存在することが検出されると、自機では対応していないチャンネルが存在する旨、及び自機では対応していないチャンネルを視聴するにはＤＶＢ−Ｔ２への対応が必要である旨がユーザに通知される。これにより、ユーザは、その通知によって、自機では対応していないＤＶＢ−Ｔ２方式のテレビジョン放送が行われていることを知ることができ、ＤＶＢ−Ｔ２方式のテレビジョン放送に対応すること（例えば、外付けチューナの購入等をすること）が可能となる。
【００５３】
従って、ＤＶＢ−Ｔ方式のテレビジョン放送からＤＶＢ−Ｔ２方式のテレビジョン放送への移行期や、ＤＶＢ−Ｔ２方式のテレビジョン放送が行われていない地域からＤＶＢ−Ｔ２方式のテレビジョン放送が行われている地域へ転居した場合などに、ユーザがＤＶＢ−Ｔ２方式のテレビジョン放送を視聴できないままでいるという事態を低減することができる。
【００５４】
なお、本発明は、上記実施形態の構成に限られず、種々の変形が可能である。例えば、自機では対応していないチャンネルが存在する旨を通知するメッセージは、自機では対応していない物理チャンネルを特定する情報や、自機では対応していない物理チャンネルの存在数（チャンネル数）を示す情報を含んでいてもよい。また、自機では対応していないチャンネルが存在する旨の通知は、音声で行ってもよい。
【符号の説明】
【００５５】
１    テレビジョン受像機
２    チューナ
２ａ    アンテナ
３    ＯＦＤＭ復調部（復調手段）
４    ディスプレイ
５    スピーカ
６    メインＩＣ（不対応検出手段、不対応通知手段）
【図１】
2010251997.tif 000003
【図２】
2010251997.tif 000004
【図３】
2010251997.tif 000005
【図４】
2010251997.tif 000006
【図５】
2010251997.tif 000007